(57)【要約】【課題】冬場の暖房だけでなく夏場の冷房にも用いることができ、かつ、トイレ室内空間を狭くすることないトイレの空調方法及び装置を提供する。【解決手段】トイレ室内の空気を屋外に排出する換気装置を備えたトイレ１０において、トイレドア１４の下部にトイレ内とトイレ外とを連通させる連通部１５を形成し、この連通部１５に通水パイプを埋設する。通水パイプに温水または冷水を流すことで、連通部１５を介してトイレ１０内に流入する空気を加熱または冷却する。【選択図】図１
2005121290.tif 000002
【特許請求の範囲】
【請求項１】
トイレ室内の空気を屋外に排出する換気装置を備えたトイレの空調装置であって、
トイレドアと、
前記トイレドアの下部に設けられ、トイレ内外を連通させる連通部と、
前記連通部に設けられ、前記連通部を介して前記トイレ室内に流入する空気を加熱する温水または前記空気を冷却する冷水が流れる通水パイプと
を備えていることを特徴とするトイレの空調装置。
【請求項２】
トイレ室内の空気を屋外に排出する換気装置を備えたトイレの空調装置であって、
トイレドアと、
トイレドア下の床面またはトイレドア下の見切り材部に設けられ、前記トイレドア下から前記トイレ室内に流入する空気を加熱する温水または前記空気を冷却する冷水が流れる通水パイプと
を備えていることを特徴とするトイレの空調装置。
【請求項３】
トイレ室内の空気を屋外に排出する換気装置を備えたトイレの空調方法であって、
トイレドアの下部に設けられトイレ内外を連通させる連通部内の通水パイプに温水または冷水を流し、前記連通部を介して前記トイレ室内に流入する空気を加熱または冷却することを特徴とするトイレの空調方法。
【請求項４】
トイレ室内の空気を屋外に排出する換気装置を備えたトイレの空調方法であって、
トイレドア下の床面またはトイレドア下の見切り材部に設けられた通水パイプに温水または冷水を流し、前記トイレドア下から前記トイレ室内に流入する空気を加熱または冷却することを特徴とするトイレの空調方法。
【発明の詳細な説明】
【技術分野】
【０００１】
本発明は、トイレ室内に流入する空気を過熱または冷却することでトイレ内を空調するトイレの空調方法及び装置に関する。
【背景技術】
【０００２】
図５に示すように、トイレドア１０１に電気ヒーター１０２と熱風を送るためのファン１０４を取り付け、電気ヒーターのスイッチとドアのロックを連動させ、トイレ使用時にのみ電気ヒーターを作用させるようにした暖房器付きトイレドアが知られている（特許文献１参照）。
【０００３】
【特許文献１】特開平１０−２４６０７７号公報
【発明の開示】
【発明が解決しようとする課題】
【０００４】
上記の暖房器付きトイレドアは、電気ヒーターであるため、冬場の暖房にしか使えない。また、電気ヒーターとともにファンを備えるため、コストアップになる。また、装置が大きくなり収まりが悪くなるとともに、トイレ内の空間が狭くなる。
【０００５】
本発明はこのような課題を解決するためなされたもので、冬場の暖房だけでなく夏場の冷房にも用いることができ、かつ、トイレ室内空間を狭くすることないトイレの空調方法及び装置を提供することを目的とする。
【課題を解決するための手段】
【０００６】
上記目的は、トイレ室内の空気を屋外に排出する換気装置を備えたトイレの空調装置であって、トイレドアと、前記トイレドアの下部に設けられ、トイレ内外を連通させる連通部と、前記連通部に設けられ、前記連通部を介して前記トイレ室内に流入する空気を加熱する温水または前記空気を冷却する冷水が流れる通水パイプとを備えていることを特徴とするトイレの空調装置によって達成される。
【０００７】
また、上記目的は、トイレ室内の空気を屋外に排出する換気装置を備えたトイレの空調装置であって、トイレドアと、トイレドア下の床面またはトイレドア下の見切り材部に設けられ、前記トイレドア下から前記トイレ室内に流入する空気を加熱する温水または前記空気を冷却する冷水が流れる通水パイプとを備えていることを特徴とするトイレの空調装置によって達成される。
【０００８】
さらに、上記目的は、トイレ室内の空気を屋外に排出する換気装置を備えたトイレの空調方法であって、トイレドアの下部に設けられトイレ内外を連通させる連通部内の通水パイプに温水または冷水を流し、前記連通部を介して前記トイレ室内に流入する空気を加熱または冷却することを特徴とするトイレの空調方法によって達成される。
【０００９】
さらにまた、上記目的は、トイレ室内の空気を屋外に排出する換気装置を備えたトイレの空調方法であって、トイレドア下の床面またはトイレドア下の見切り材部に設けられた通水パイプに温水または冷水を流し、前記トイレドア下から前記トイレ室内に流入する空気を加熱または冷却することを特徴とするトイレの空調方法によって達成される。
【発明の効果】
【００１０】
本発明に係るトイレの空調装置は、冬場の暖房だけでなく、夏場の冷房にも用いることができる。送風ファンを備えずにトイレの換気装置を送風動力源に用いるので、空調装置がコンパクトになり、収まり・意匠性がよい。また、装置コストが低減できる。
トイレドア下の床面または見切り材部に通水パイプを設ける場合は、トイレドアに加工することがなく、意匠性がよい。また、施工も床側で完結できるため、施工性がよい。
【発明を実施するための最良の形態】
【００１１】
本発明の一実施の形態によるトイレの空調方法及び装置について図１乃至図４を用いて説明する。図１は本実施の形態に係るトイレの空調方法及び装置の説明図である。トイレ１０には便器１１及び貯水タンク１２が設けられている。トイレ１０の天井部には排気口１３が設けられている。この排気口１３は図示しない換気装置に接続されている。図示しない換気装置は、排気ファン等を備えており、トイレ室内の空気を屋外に排出する。トイレドア１４の下側には、トイレ内とトイレ外（居室側）とを連通させる連通部１５が設けられている。図中の太矢印は空気の流れを示している。トイレ外（居室側）の空気は、連通部１５を介してトイレ内に流入し、排気口１３及び図示しない換気装置を介して屋外に排出される。
【００１２】
図２はトイレドアの連通部に設けた通水パイプ（加熱・冷却部）の説明図、図３は通水パイプと循環水の往き管及び戻り管との接続構造の説明図である。トイレドア１４の連通部１５には、通水パイプ１６が複数段に亘って配設されている。通水パイプ１６はフィンを備えるものであってもよい。通水パイプ１６は、連続する１本の管路として形成されている。トイレドア１４の固定側（蝶番側）には、通水パイプ１６の流入口１７および流出口１８が設けられている。通水パイプ１６の流入口１７および流出口１８は、各フレキシブルパイプ１９，２０を介して循環水の往き管２１と戻り管２２にそれぞれ接続されている。循環水の往き管２１と戻り管２２は、図示しない空調用水循環装置等に接続されている。
【００１３】
通水パイプ１６に温水を流すことで、トイレドア１４の連通部１５を介してトイレ内に流入する空気を加熱することができる。これにより、トイレ１０内を暖房することができる。温水床暖房装置を利用して温水の供給を行なうようにしてもよい。また、通水パイプ１６に水または冷水を流すことで、トイレドア１４の連通部１５を介してトイレ内に流入する空気を冷却することができる。これにより、トイレ１０内を冷房することができる。
【００１４】
図４は本実施の形態に係る他のトイレの空調方法及び装置の要部構成を示す説明図である。図４に示すトイレの空調装置は、トイレドア２４下の見切り材部２５に通水パイプ２６を埋設し、この通水パイプ２６に温水または冷水を流すことで、トイレドア２４下からトイレ内に流入する空気を加熱または冷却するようにしたものである。なお、見切り材部２５を設けずにトイレドア２４下の床面に通水パイプ２６を埋設するようにしてもよい。
【００１５】
このように本実施の形態のトイレの空調方法及び装置によれば、冬場の暖房だけでなく夏場の冷房にも用いることができる。また、送風ファンを備えずにトイレの換気装置を送風動力源に用いるので、空調装置がコンパクトになり、収まり・意匠性がよい。また、装置コストが低減できる。トイレドア下の床面または見切り材部に通水パイプを設ける場合は、トイレドアに加工することがなく、意匠性がよい。また、施工も床側で完結できるため、施工性に優れている。
【図面の簡単な説明】
【００１６】
【図１】本発明の一実施の形態に係るトイレの空調方法及び装置を説明する図である。
【図２】トイレドアの連通部に設けた通水パイプ（加熱・冷却部）の説明図である。
【図３】トイレドアの連通部に設けた通水パイプと循環水の往き管及び戻り管との接続構造の説明図である。
【図４】本発明の一実施の形態に係る他のトイレの空調方法及び装置の要部構成を示す説明図である。
【図５】従来の暖房器付きトイレドアの説明図である。
【符号の説明】
【００１７】
１０  トイレ
１３  排気口
１４，２４  トイレドア
１５  連通部
１６，２６  通水パイプ
【図１】
2005121290.tif 000003
【図２】
2005121290.tif 000004
【図３】
2005121290.tif 000005
【図４】
2005121290.tif 000006
【図５】
2005121290.tif 000007